(57)【特許請求の範囲】
【請求項１】
物体側から順に、正の屈折力を有する第１レンズ、負の屈折力を有する第２レンズ、正の屈折力を有する第３レンズ、負の屈折力を有する第４レンズ、負の屈折力を有する第５レンズ、正の屈折力を有する第６レンズが配置され、且つ、以下の条件式（１）〜（５）を満足することを特徴とする撮像レンズ。
ＤＬ／撮影時のＴＴＬ≦０．６０                    （１）
−１．００≦ｆ１／ｆ２≦−０．８０                （２）
−０．５５≦Ｒ９／ｆ≦−０．１５                  （３）
０．０７≦ｄ１／ｆ≦０．１１                      （４）
０．１１≦ｄ８／ｆ≦０．１５                      （５）
但し、
ＤＬ：第１レンズの物体側面から第６レンズの像面側面までの軸上距離
撮影時のＴＴＬ：撮影時のレンズ全長（第１レンズの物体側面から像面までの軸上距離）
ｆ：撮像レンズ全体の焦点距離
ｆ１：第１レンズの焦点距離
ｆ２：第２レンズの焦点距離
Ｒ９：第５レンズの物体側面の曲率半径
ｄ１：第１レンズの中心厚
ｄ８：第４レンズの像面側面から第５レンズの物体側面までの軸上距離
である。
【請求項２】
以下の条件式（６）を満足することを特徴とする請求項１に記載の撮像レンズ。
０．５０≦ｆ１／ｆ≦０．８０                      （６）
但し、
ｆ：撮像レンズ全体の焦点距離
ｆ１：第１レンズの焦点距離
である。
【請求項３】
以下の条件式（７）を満足することを特徴とする請求項１に記載の撮像レンズ。
−１．００≦ｆ２／ｆ≦−０．５０                  （７）
但し、
ｆ：撮像レンズ全体の焦点距離
ｆ２：第２レンズの焦点距離
である。
【請求項４】
以下の条件式（８）を満足することを特徴とする請求項１に記載の撮像レンズ。
０．５９≦ｆ３／ｆ≦０．９０                      （８）
但し、
ｆ：撮像レンズ全体の焦点距離
ｆ３：第３レンズの焦点距離
である。
【請求項５】
以下の条件式（９）を満足することを特徴とする請求項１に記載の撮像レンズ。
０．０６≦ｄ５／ｆ≦０．１０                      （９）
但し、
ｆ：撮像レンズ全体の焦点距離
ｄ５：第３レンズの中心厚
である。
【発明の詳細な説明】
【技術分野】
【０００１】
本発明は、撮像レンズに関する発明である。特に、高画素用ＣＣＤ、ＣＭＯＳなどの撮像素子を使用した携帯用モジュールカメラ、デジタルカメラなどに好適であり、撮影時は、全画角（以下、２ωとする）が、５２°以下の挟角で、良好な光学特性を有し、沈胴時のＴＴＬ／ＩＨが１．６０以下と沈胴時に低背な６枚のレンズで構成される撮像レンズに関する発明である。
【背景技術】
【０００２】
撮像レンズは、挟角化に伴いＴＴＬ（レンズ全長）が長くなる為に、近年、撮影時は、挟角で、良好な光学特性を有し、非撮影時にレンズ鏡筒をカメラ内に沈胴させてＴＴＬを短くし、沈胴時に低背化した撮像レンズが求められている。
【０００３】
挟角で良好な光学特性を有する6枚のレンズで構成された撮像レンズに関する技術開発が進められている。この６枚構成の撮像レンズとしては、物体から順に、正の屈折力を有する第１レンズ、負の屈折力を有する第２レンズ、正の屈折力を有する第３レンズ、負の屈折力を有する第４レンズ、負の屈折力を有する第５レンズ、正の屈折力を有する第６レンズで構成されたものが、特許文献１に提案されている。
【０００４】
特許文献１の実施例２、４、５、６、７に開示された撮像レンズは、２ωが、４７．０〜４７．２°と挟角化されているが、第１レンズの物体側面から第６レンズの像面側面までの軸上距離と撮像時のＴＴＬの比が不十分な為に、沈胴時の低背化が不十分であった。
【先行技術文献】
【特許文献】
【０００５】
【特許文献１】中国公開特許番号  ＣＮ１１０４５６４８８Ａ
【発明の概要】
【発明が解決しようとする課題】
【０００６】
本発明の目的は、沈胴時に低背とし、撮影時は、挟角、良好な光学特性を有する６枚で構成される撮像レンズを提供することにある。
【課題を解決するための手段】
【０００７】
上記目標を達成するために、第１レンズの物体側面から第６レンズの像面側面までの軸上距離と撮影時のＴＴＬの比、第１レンズと第２レンズの焦点距離の比、第５レンズの物体側面の曲率半径と撮像レンズ全体の焦点距離の比、第１レンズの中心厚と撮像レンズ全体の焦点距離の比、第４レンズの像面側面から第５レンズの物体側面までの軸上距離と撮像レンズ全体の焦点距離の比を鋭意検討した結果、従来技術の課題が改善された撮像レンズを得ることを見出し、本発明に到達した。
【０００８】
請求項１記載の撮像レンズは、物体側から順に、正の屈折力を有する第１レンズ、負の屈折力を有する第２レンズ、正の屈折力を有する第３レンズ、負の屈折力を有する第４レンズ、負の屈折力を有する第５レンズ、正の屈折力を有する第６レンズが配置され、且つ、以下の条件式（１）〜（５）を満足することを特徴とする撮像レンズ。
ＤＬ／撮影時のＴＴＬ≦０．６０                    （１）
−１．００≦ｆ１／ｆ２≦−０．８０                （２）
−０．５５≦Ｒ９／ｆ≦−０．１５                  （３）
０．０７≦ｄ１／ｆ≦０．１１                      （４）
０．１１≦ｄ８／ｆ≦０．１５                      （５）
但し、
ＤＬ：第１レンズの物体側面から第６レンズの像面側面までの軸上距離
撮影時のＴＴＬ：撮影時のレンズ全長（第１レンズの物体側面から像面までの軸上距離）
ｆ：撮像レンズ全体の焦点距離
ｆ１：第１レンズの焦点距離
ｆ２：第２レンズの焦点距離
Ｒ９：第５レンズの物体側面の曲率半径
ｄ１：第１レンズの中心厚
ｄ８：第４レンズの像面側面から第５レンズの物体側面までの軸上距離
である。
【０００９】
請求項２記載の撮像レンズは、請求項１記載の撮像レンズにおいて、以下の条件式（６）を満足する。
０．５０≦ｆ１／ｆ≦０．８０                      （６）
但し、
ｆ：撮像レンズ全体の焦点距離
ｆ１：第１レンズの焦点距離
である。
【００１０】
請求項３記載の撮像レンズは、請求項１記載の撮像レンズにおいて、以下の条件式（７）を満足する。
−１．００≦ｆ２／ｆ≦−０．５０                  （７）
但し、
ｆ：撮像レンズ全体の焦点距離
ｆ２：第２レンズの焦点距離
である。
【００１１】
請求項４記載の撮像レンズは、請求項１記載の撮像レンズにおいて、以下の条件式（８）を満足する。
０．５９≦ｆ３／ｆ≦０．９０                      （８）
但し、
ｆ：撮像レンズ全体の焦点距離
ｆ３：第３レンズの焦点距離
である。
【００１２】
請求項５記載の撮像レンズは、請求項１記載の撮像レンズにおいて、以下の条件式（９）を満足する。
０．０６≦ｄ５／ｆ≦０．１０                      （９）
但し、
ｆ：撮像レンズ全体の焦点距離
ｄ５：第３レンズの中心厚
である。
【発明の効果】
【００１３】
本発明によれば、特に、高画素用ＣＣＤ、ＣＭＯＳなどの撮像素子を使用した携帯用モジュールカメラ、デジタルカメラなどに好適な、撮影時は、２ω＜５２°の挟角で、良好な光学特性を有し、沈胴時のＴＴＬ／ＩＨ＜１．６０と沈胴時に低背な６枚のレンズで構成される撮像レンズに関する発明である。
【図面の簡単な説明】
【００１４】
【図１】本発明の実施例１の撮像レンズＬＡの概略構成を示す図。
【図２】本発明の実施例１の撮像レンズＬＡの球面収差、非点収差、歪曲収差を示す図。
【図３】本発明の実施例２の撮像レンズＬＡの概略構成を示す図。
【図４】本発明の実施例２の撮像レンズＬＡの球面収差、非点収差、歪曲収差を示す図。
【図５】本発明の実施例３の撮像レンズＬＡの概略構成を示す図。
【図６】本発明の実施例３の撮像レンズＬＡの球面収差、非点収差、歪曲収差を示す図。
【図７】本発明の実施例４の撮像レンズＬＡの概略構成を示す図。
【図８】本発明の実施例４の撮像レンズＬＡの球面収差、非点収差、歪曲収差を示す図。
【図９】本発明の実施例５の撮像レンズＬＡの概略構成を示す図。
【図１０】本発明の実施例５の撮像レンズＬＡの球面収差、非点収差、歪曲収差を示す図。
【発明を実施するための形態】
【００１５】
本発明に係る撮像レンズの実施形態について説明する。この撮像レンズＬＡは、物体側から像面側へ向かって、第１レンズＬ１、第２レンズＬ２、第３レンズＬ３、第４レンズＬ４、第５レンズＬ５、第６レンズＬ６が配置された６枚構成のレンズ系を備えている。第６レンズＬ６と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である
【００１６】
第１レンズＬ１は、正の屈折力を有するレンズであり、第２レンズＬ２は、負の屈折力を有するレンズであり、第３レンズＬ３は、正の屈折力を有するレンズであり、第４レンズＬ４は、負の屈折力を有するレンズであり、第５レンズＬ５は、負の屈折力を有するレンズであり、第６レンズＬ６は、正の屈折力を有するレンズである。これらの６枚のレンズ表面は、諸収差を良好に補正するため、全面を非球面形状とすることが望ましい。
【００１７】
この撮像レンズＬＡは、以下の条件式（１）を満足する。
ＤＬ／撮影時のＴＴＬ≦０．６０                    （１）
【００１８】
条件式（１）は、第１レンズＬ１の物体側面Ｓ１から第６レンズＬ６の像面側面Ｓ１２までの軸上距離と撮影時のＴＴＬの比を規定するものである。条件式（１）の範囲内にすることにより、沈胴時の低背化が容易となり好ましい。
【００１９】
この撮像レンズＬＡは、以下の条件式（２）を満足する。
−１．００≦ｆ１／ｆ２≦−０．８０                （２）
【００２０】
条件式（２）は、第１レンズＬ１の焦点距離ｆ１と第２レンズＬ２の焦点距離ｆ２との比を規定するものである。条件式（２）の範囲内にすることにより、挟角化での軸上、軸外の色収差の補正が容易となり好ましい。
【００２１】
この撮像レンズＬＡは、以下の条件式（３）を満足する。
−０．５５≦Ｒ９／ｆ≦−０．１５                  （３）
【００２２】
条件式（３）は、第５レンズＬ５の物体側面Ｓ９の曲率半径Ｒ９と撮像レンズＬＡ全体の焦点距離ｆの比を規定するものである。条件式（３）の範囲内にすることにより、沈胴時の低背化、及び、撮影時の挟角化での諸収差の補正が容易となり好ましい。
【００２３】
この撮像レンズＬＡは、以下の条件式（４）を満足する。
０．０７≦ｄ１／ｆ≦０．１１                      （４）
【００２４】
条件式（４）は、第１レンズＬ１の中心厚ｄ１と撮像レンズＬＡ全体の焦点距離ｆの比を規定するものである。条件式（４）の範囲内にすることにより、沈胴時の低背化、及び、撮影時の挟角化での諸収差の補正が容易となり好ましい。
【００２５】
この撮像レンズＬＡは、以下の条件式（５）を満足する。
０．１１≦ｄ８／ｆ≦０．１５                      （５）
【００２６】
条件式（５）は、第４レンズＬ４の像面側面Ｓ８から第５レンズＬ５の物体側面Ｓ９までの軸上距離ｄ８と撮像レンズＬＡ全体の焦点距離ｆの比を規定するものである。条件式（５）の範囲内にすることにより、沈胴時の低背化、及び、撮影時の挟角化での諸収差の補正が容易となり好ましい。
【００２７】
この撮像レンズＬＡは、以下の条件式（６）を満足する。
０．５０≦ｆ１／ｆ≦０．８０                      （６）
【００２８】
条件式（６）は、第１レンズＬ１の焦点距離ｆ１と撮像レンズＬＡ全体の焦点距離ｆとの比で、第１レンズＬ１の正の屈折力を規定するものである。条件式（６）の範囲内にすることにより、沈胴時の低背化、及び、撮影時の挟角化での諸収差の補正が容易となり好ましい。
【００２９】
この撮像レンズＬＡは、以下の条件式（７）を満足する。
−１．００≦ｆ２／ｆ≦−０．５０                  （７）
【００３０】
条件式（７）は、第２レンズＬ２の焦点距離ｆ２と撮像レンズＬＡ全体の焦点距離ｆとの比で、第２レンズＬ２の負の屈折力を規定するものである。条件式（７）の範囲内にすることにより、沈胴時の低背化、及び、撮影時の挟角化での諸収差の補正が容易となり好ましい。
【００３１】
この撮像レンズＬＡは、以下の条件式（８）を満足する。
０．５９≦ｆ３／ｆ≦０．９０                      （８）
【００３２】
条件式（８）は、第３レンズＬ３の焦点距離ｆ３と撮像レンズＬＡ全体の焦点距離ｆとの比で、第３レンズＬ３の正の屈折力を規定するものである。条件式（８）の範囲内にすることにより、沈胴時の低背化、及び、撮影時の挟角化での諸収差の補正が容易となり好ましい。
【００３３】
この撮像レンズＬＡは、以下の条件式（９）を満足する。
０．０６≦ｄ５／ｆ≦０．１０                      （９）
【００３４】
条件式（９）は、第３レンズＬ３の中心厚ｄ５と撮像レンズＬＡ全体の焦点距離ｆの比を規定するものである。条件式（９）の範囲内にすることにより、沈胴時の低背化、及び、撮影時の挟角化での諸収差の補正が容易となり好ましい。
【００３５】
撮像レンズＬＡを構成する６枚レンズが、それぞれ前記の構成及び、条件式を満たすことにより、撮影時は、２ω＜５２°以下の挟角で、良好な光学特性を有し、沈胴時のＴＴＬ／ＩＨ＜１．６０と沈胴時に低背な６枚のレンズで構成される撮像レンズを得ることが可能となる。
【実施例】
【００３６】
以下に、本発明の撮像レンズＬＡについて、実施例を用いて説明する。各実施例に記載されている記号は以下のことを示す。なお、距離、半径及び中心厚の単位は、ｍｍである。
ｆ：撮像レンズＬＡ全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ５：第５レンズＬ５の焦点距離
ｆ６：第６レンズＬ６の焦点距離
Ｆｎｏ：Ｆ値
２ω：全画角
ＳＴＯＰ：開口絞り
Ｒ：光学面の曲率半径、レンズの場合は中心曲率半径
Ｒ１：第１レンズＬ１の物体側面Ｓ１の曲率半径
Ｒ２：第１レンズＬ１の像面側面Ｓ２の曲率半径
Ｒ３：第２レンズＬ２の物体側面Ｓ３の曲率半径
Ｒ４：第２レンズＬ２の像面側面Ｓ４の曲率半径
Ｒ５：第３レンズＬ３の物体側面Ｓ５の曲率半径
Ｒ６：第３レンズＬ３の像面側面Ｓ６の曲率半径
Ｒ７：第４レンズＬ４の物体側面Ｓ７の曲率半径
Ｒ８：第４レンズＬ４の像面側面Ｓ８の曲率半径
Ｒ９：第５レンズＬ５の物体側面Ｓ９の曲率半径
Ｒ１０：第５レンズＬ５の像面側面Ｓ１０の曲率半径
Ｒ１１：第６レンズＬ６の物体側面Ｓ１１の曲率半径
Ｒ１２：第６レンズＬ６の像面側面Ｓ１２の曲率半径
Ｒ１３：ガラス平板ＧＦの物体側面Ｓ１３の曲率半径
Ｒ１４：ガラス平板ＧＦの像面側面Ｓ１４の曲率半径
ｄ：レンズの中心厚、又は、レンズ間距離
ｄ０：開口絞りＳＴＯＰから第１レンズＬ１の物体側面Ｓ１までの軸上距離
ｄ１：第１レンズＬ１の中心厚
ｄ２：第１レンズＬ１の像面側面Ｓ２からＬ２の物体側面Ｓ３までの軸上距離
ｄ３：第２レンズＬ２の中心厚
ｄ４：第２レンズＬ２の像面側面Ｓ４から第３レンズＬ３の物体側面Ｓ５までの軸上距離
ｄ５：第３レンズＬ３の中心厚
ｄ６：第３レンズＬ３の像面側面Ｓ６から第４レンズＬ４の物体側面Ｓ７までの軸上距離
ｄ７：第４レンズＬ４の中心厚
ｄ８：第４レンズＬ４の像面側面Ｓ８から第５レンズＬ５の物体側面Ｓ９までの軸上距離
ｄ９：第５レンズＬ５の中心厚
ｄ１０：第５レンズＬ５の像面側面Ｓ１０から第６レンズＬ６の物体側面Ｓ１１までの軸上距離
ｄ１１：第６レンズＬ６の中心厚
ｄ１２：第６レンズＬ６の像面側面Ｓ１２からガラス平板ＧＦの物体側面Ｓ１３までの軸上距離
ｄ１３：ガラス平板ＧＦの中心厚
ｄ１４：ガラス平板ＧＦの像面側面Ｓ１４から像面までの軸上距離
ＤＬ：第１レンズＬ１の物体側面Ｓ１から第６レンズＬ６の像面側面Ｓ１２までの軸上距離
ｎｄ：ｄ線の屈折率
ｎｄ１：第１レンズＬ１のｄ線の屈折率
ｎｄ２：第２レンズＬ２のｄ線の屈折率
ｎｄ３：第３レンズＬ３のｄ線の屈折率
ｎｄ４：第４レンズＬ４のｄ線の屈折率
ｎｄ５：第５レンズＬ５のｄ線の屈折率
ｎｄ６：第６レンズＬ６のｄ線の屈折率
ｎｄｇ：ガラス平板ＧＦのｄ線の屈折率
ν：アッベ数
ν１：第１レンズＬ１のアッベ数
ν２：第２レンズＬ２のアッベ数
ν３：第３レンズＬ３のアッベ数
ν４：第４レンズＬ４のアッベ数
ν５：第５レンズＬ５のアッベ数
ν６：第６レンズＬ６のアッベ数
νｇ：ガラス平板ＧＦのアッベ数
ＴＴＬ：レンズ全長（第１レンズＬ１の物体側面Ｓ１から像面までの軸上距離）
【００３７】
ｙ＝（ｘ２／Ｒ）／［１＋｛１−（ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４
＋Ａ１６ｘ１６＋Ａ１８ｘ１８＋Ａ２０ｘ２０    （１０）
【００３８】
各レンズ面の非球面は、便宜上、式（１０）で表される非球面を使用している。しかし、ながら、特に、この式（１０）の非球面多項式に限定するものではない。
【００３９】
（実施例１）
図１は、実施例１の撮像レンズＬＡの撮影時、及び、沈胴時の配置を示す構成図である。実施例１の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νを表１に、撮影時、及び、沈胴時のＡの値を表２に、円錐係数ｋ、非球面係数を表３に、２ω、Ｆｎｏ、ｆ、ｆ１、ｆ２、ｆ３、ｆ４、ｆ５、ｆ６、ＴＴＬ、ＩＨを表４に示す。
【００４０】
【表１】
0006861319.tif 000002
【００４１】
【表２】
0006861319.tif 000003
【００４２】
【表３】
0006861319.tif 000004
【００４３】
【表４】
0006861319.tif 000005
【００４４】
後に登場する表２１は、各実施例１〜５の条件式（１）〜（９）で規定したパラメータに対応する値を示す。
【００４５】
実施例１は、表２１に示すように、条件式（１）〜（９）を満足する。
【００４６】
実施例１の撮像レンズＬＡの球面収差、非点収差、歪曲収差を図２に示す。なお、図の像面湾曲のＳはサジタル像面に対する像面湾曲、Ｔはタンジェンシャル像面に対する像面湾曲であり、実施例２〜５においても同様である。実施例１の撮像レンズＬＡは、２ω＝４６．４６°と挟角で、沈胴時のＴＴＬ／ＩＨ＝１．５７６と沈胴時に低背で、且つ、図２に示すように、良好な光学特性を有していることがわかる。
【００４７】
（実施例２）
図３は、実施例２の撮像レンズＬＡの撮影時、及び、沈胴時の配置を示す構成図である。実施例３の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νを表５に、撮影時、及び、沈胴時のＡの値を表６に、円錐係数ｋ、非球面係数を表７に、２ω、Ｆｎｏ、ｆ、ｆ１、ｆ２、ｆ３、ｆ４、ｆ５、ｆ６、ＴＴＬ、ＩＨを表８に示す。
【００４８】
【表５】
0006861319.tif 000006
【００４９】
【表６】
0006861319.tif 000007
【００５０】
【表７】
0006861319.tif 000008
【００５１】
【表８】
0006861319.tif 000009
【００５２】
実施例２は、表２１に示すように、条件式（１）〜（９）を満足する。
【００５３】
実施例２の撮像レンズＬＡの球面収差、非点収差、歪曲収差を図４に示す。実施例２の撮像レンズＬＡは、２ω＝４６．６０°と挟角で、沈胴時のＴＴＬ／ＩＨ＝１．４９４と沈胴時に低背で、且つ、図４に示すように、良好な光学特性を有していることがわかる。
【００５４】
（実施例３）
図５は、実施例３の撮像レンズＬＡの撮影時、及び、沈胴時の配置を示す構成図である。実施例３の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νを表９に、撮影時、及び、沈胴時のＡの値を表１０に、円錐係数ｋ、非球面係数を表１１に、２ω、Ｆｎｏ、ｆ、ｆ１、ｆ２、ｆ３、ｆ４、ｆ５、ｆ６、ＴＴＬ、ＩＨを表１２に示す。
【００５５】
【表９】
0006861319.tif 000010
【００５６】
【表１０】
0006861319.tif 000011
【００５７】
【表１１】
0006861319.tif 000012
【００５８】
【表１２】
0006861319.tif 000013
【００５９】
実施例３は、表２１に示すように、条件式（１）〜（９）を満足する。
【００６０】
実施例３の撮像レンズＬＡの球面収差、非点収差、歪曲収差を図６に示す。実施例３の撮像レンズＬＡは、２ω＝４５．２８°と挟角で、沈胴時のＴＴＬ／ＩＨ＝１．４９４と沈胴時に低背で、且つ、図６に示すように、良好な光学特性を有していることがわかる。
【００６１】
（実施例４）
図７は、実施例４の撮像レンズＬＡの撮影時、及び、沈胴時の配置を示す構成図である。実施例４の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νを表１３に、撮影時、及び、沈胴時のＡの値を表１４に、円錐係数ｋ、非球面係数を表１５に、２ω、Ｆｎｏ、ｆ、ｆ１、ｆ２、ｆ３、ｆ４、ｆ５、ｆ６、ＴＴＬ、ＩＨを表１６に示す。
【００６２】
【表１３】
0006861319.tif 000014
【００６３】
【表１４】
0006861319.tif 000015
【００６４】
【表１５】
0006861319.tif 000016
【００６５】
【表１６】
0006861319.tif 000017
【００６６】
実施例４は、表２１に示すように、条件式（１）〜（９）を満足する。
【００６７】
実施例４の撮像レンズＬＡの球面収差、非点収差、歪曲収差を図８に示す。実施例４の撮像レンズＬＡは、２ω＝４７．５３°と挟角で、沈胴時のＴＴＬ／ＩＨ＝１．５４１と沈胴時に低背で、且つ、図８に示すように、良好な光学特性を有していることがわかる。
【００６８】
（実施例５）
図９は、実施例５の撮像レンズＬＡの撮影時、及び、沈胴時の配置を示す構成図である。実施例５の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νを表１７に、撮影時、及び、沈胴時のＡの値を表１８に、円錐係数ｋ、非球面係数を表１９に、２ω、Ｆｎｏ、ｆ、ｆ１、ｆ２、ｆ３、ｆ４、ｆ５、ｆ６、ＴＴＬ、ＩＨを表２０に示す。
【００６９】
【表１７】
0006861319.tif 000018
【００７０】
【表１８】
0006861319.tif 000019
【００７１】
【表１９】
0006861319.tif 000020
【００７２】
【表２０】
0006861319.tif 000021
【００７３】
実施例５は、表２１に示すように、条件式（１）〜（９）を満足する。
【００７４】
実施例５の撮像レンズＬＡの球面収差、非点収差、歪曲収差を図１０に示す。実施例５の撮像レンズＬＡは、２ω＝４７．５６°と挟角で、沈胴時のＴＴＬ／ＩＨ＝１．５１５と沈胴時に低背で、且つ、図１０に示すように、良好な光学特性を有していることがわかる。
【００７５】
表２１に、実施例１〜５の条件式（１）〜（９）で規定したパラメータに対応する値を示す。
【００７６】
【表２１】
0006861319.tif 000022
【要約】      （修正有）【課題】沈胴時に低背とし、撮影時は、挟角、良好な光学特性を有する６枚で構成される撮像レンズの提供。【解決手段】物体側から順に、正の屈折力を有する第１レンズＬ１、負の屈折力を有する第２レンズＬ２、正の屈折力を有する第３レンズＬ３、負の屈折力を有する第４レンズＬ４、負の屈折力を有する第５レンズＬ５、正の屈折力を有する第６レンズＬ６が配置され、所定の条件式を満足する撮像レンズ。【選択図】図１【図１】
0006861319.tif 000023
【図２】
0006861319.tif 000024
【図３】
0006861319.tif 000025
【図４】
0006861319.tif 000026
【図５】
0006861319.tif 000027
【図６】
0006861319.tif 000028
【図７】
0006861319.tif 000029
【図８】
0006861319.tif 000030
【図９】
0006861319.tif 000031
【図１０】
0006861319.tif 000032